(57)【特許請求の範囲】
【請求項１】
筆記具本体の後部に装着されるとともに、先端にカム面を備えた回転操作部材と、前記筆記具本体の内側に配置された複数のリフィルと、これらリフィルの先端側にそれぞれ設けられるとともに、前記回転操作部材の回転により筆記具本体の先端側から交互に出没可能に設けられた筆記部材と、前記リフィルの後部にそれぞれ設けられて前記カム面に接する従動部材とを備えて構成され、
前記カム面の所定位置に前記筆記部材の先端が筆記具本体内に収まる位置を規制する位置規制部を設け、この位置規制部は、軸方向に沿う方向に延びる起立部と、この起立部の後端側に連なるとともに、各従動部材の後端形状に倣う湾曲部とを備えていることを特徴とする筆記具。
【請求項２】
前記位置規制部は、カム面を部分的に凹ませた形状に設けられていることを特徴とする請求項１記載の筆記具。
【発明の詳細な説明】
【０００１】
【発明の属する技術分野】
本発明は、筆記具に係り、更に詳しくは、複数の筆記部材が筆記具本体の先端側から交互に出没可能に設けられ、全ての筆記部材が筆記具本体内に位置したときに、筆記部材の不用意な軸方向移動を規制することができる筆記具に関する。
【０００２】
【従来の技術】
従来より、筆記具本体の先端側から二種類の筆記部材、例えば、ボールペンといわゆるシャープペンとが交互に出没自在に設けられた筆記具が広く利用されるに至っている。この種の筆記具としては、例えば、図１１及び図１２に示されるタイプのものが知られている。
【０００３】
これらの図における筆記具８０は、先端領域が次第に縮径する中空円筒状に設けられた筆記具本体８１と、この筆記具本体８１の後部に装着されるとともに、先端にカム面８２を備えた回転操作部材８３と、前記筆記具本体８１内に配置された一対のリフィル８５，８６と、これらリフィル８５，８６の先端側にそれぞれ設けられた筆記部材８７，８８と、各リフィル８５，８６の後端側にそれぞれ設けられて前記カム面８２に接する一対の従動部材９０，９１とを備えて構成されている。
【０００４】
前記カム面８２は、中空円筒状の部材を、その軸線に対して斜切りした端面により構成されている。すなわち、カム面８２は、図１２に示されるように、前記円筒の軸線に対して傾斜した方向に延びる一対の傾斜端面部９２と、これら傾斜端面部９２の後端に連なるとともに、前記軸線に略直交する方向に位置する後端面部９３とにより構成されている。また、傾斜端面部９２の先端側及び後端面部９３の中央部には、各従動部材９０，９１の後端側を受容可能な凹部９５，９６がそれぞれ形成されている。
【０００５】
前記筆記具８０において、各筆記部材８７，８８を筆記具本体８１の先端に対して出没させる場合には、前記回転操作部材８３を筆記具本体８１の周方向に回転させることにより行われる。すなわち、回転操作部材８３を図１１（Ａ）中矢印Ｒ１方向に回転することにより、カム面８２が一方の従動部材９０を同図中下向き方向に押圧した後、当該従動部材９０の後端側が凹部９５に受容されて筆記部材８７が露出される。また、回転操作部材８３を同図中矢印Ｒ２方向に回転させることにより、前記矢印Ｒ１方向に回転した場合と同様にして他方の筆記部材８８が露出される。この一方、回転操作部材８３を図１１（Ａ）に示される位置に戻すことにより、各筆記部材８７，８８が筆記具本体８１内に没して収容されることとなる。
【０００６】
【発明が解決しようとする課題】
しかしながら、前記筆記具８０の構成においては、各筆記部材８７，８８の先端側が筆記具本体８１内に位置したときに、従動部材９０，９１の後端側が平滑なカム面８２上に接触した状態となる。この状態において、カム面８２は、各従動部材９０，９１の軸方向移動を規制する手段を何らもたないため、筆記具８０の携帯時等において回転操作部材８３が不用意に回転してしまう場合が多い。これがため、筆記部材８７，８８が筆記具本体８１の先端から露出してしまい、意図することなく胸ポケット等を汚してしまうという不都合を生じる。また、一方の筆記部材８７を収容すべく回転操作部材８３を回転する際に、必要以上に回転させてしまうことにより、他方の筆記部材８８が筆記具本体８１の先端から露出してしまい、確実に筆記部材８７，８８を没した位置に収容することが困難になるという不都合も招来する。
【０００７】
【発明の目的】
本発明は、このような不都合に着目して案出されたものであり、その目的は、全ての筆記部材の先端が筆記具本体内に位置するときに、不用意なる筆記部材の露出を回避することができ、且つ、筆記部材が収容されたことを使用者が認識できる筆記具を提供することにある。
【０００８】
【課題を解決するための手段】
前記目的を達成するため、本発明は、筆記具本体の後部に装着されるとともに、先端にカム面を備えた回転操作部材と、前記筆記具本体の内側に配置された複数のリフィルと、これらリフィルの先端側にそれぞれ設けられるとともに、前記回転操作部材の回転により筆記具本体の先端側から交互に出没可能に設けられた筆記部材と、前記リフィルの後部にそれぞれ設けられて前記カム面に接する従動部材とを備えて構成され、
前記カム面の所定位置に前記筆記部材の先端が筆記具本体内に収まる位置を規制する位置規制部を設け、この位置規制部は、軸方向に沿う方向に延びる起立部と、この起立部の後端側に連なるとともに、各従動部材の後端形状に倣う湾曲部とを備える、という構成が採用されている。このような構成によれば、回転操作部材が意図することなく回転することを防止して、筆記部材が筆記具本体の先端から露出する虞を確実に回避することができる。また、一方の筆記部材を収容するため、回転操作部材を回転しすぎて他方の筆記部材が露出してしまう虞を排除することができ、これにより、例えば、胸ポケット等を汚してしまう不都合を解消することが可能となる。
【０００９】
【発明の実施の形態】
本発明における前記位置規制部は、カム面を部分的に凹ませた形状に設けられる、という構成も採用することができる。このような構成を採れば、従来構造を僅かに形状変更するだけで、前述した筆記部材の露出を防止することができる。
【００１０】
なお、本明細書において、特に明示しない限り、「後端」、「後方」若しくは「後」は、筆記具の回転操作部材側すなわち図２中上部側について用いられ、「先端」、「前方」若しくは「前」は筆記具のペン先側すなわち図２中下部側について用いられる。
【００１１】
【実施例】
以下、本発明の実施例を図面を参照しながら説明する。
【００１２】
[第１実施例]
図１には、第１の実施例に係る筆記具の概略斜視図が示され、図２には、前記筆記具の正面図が示されている。また、図３には、図２の右側面図が示されている。これらの図において、筆記具１０は、先端領域が先細となる中空円筒形状の筆記具本体１１と、この筆記具本体１１の後部に装着された回転操作部材１３と、筆記具本体１１の内側に配置された第１及び第２のリフィル１５，１６と、これら第１及び第２のリフィル１５，１６の先端側にそれぞれ設けられた第１及び第２の筆記部材１７，１８と、各リフィル１５，１６の後端側にそれぞれ設けられた第１及び第２の従動部材２０，２１とを備えて構成されている。
【００１３】
前記筆記具本体１１は、図２に示されるように、その軸方向中央部において所定のねじ構造により分割可能に設けられており、先端に向うに従って縮径した前部ケース２３と、後端側を開放する後部ケース２４とを備えて構成されている。前部ケース２３の先端側には、前記第１及び第２の筆記部材１７，１８を通過させる小孔２５が形成されている。また、後部ケース２４の内周面には、図３ないし図５に示されるように、軸方向に延びる四本の突条部２６が設けられている。これら突条部２６には、前記各従動部材２０，２１の外面が接するように設けられ、これにより、従動部材２０，２１の移動がスムースにガイドできるようになっている。また、後部ケース２４の内周先端側には、各リフィル１５，１６を貫通させる二つの穴２８を備えた仕切壁２９が設けられている。
【００１４】
前記回転操作部材１３は、図２及び図６に示されるように、軸方向に沿って延びるクリップ３１と、このクリップ３１を保持するとともに、後部ケース２４の後方に配置されたクリップ保持部３２と、このクリップ保持部３２の前面側に連なって後部ケース２４の内側に位置するとともに、当該後部ケース２４の内周と略同一の外径寸法を有する挿入部３３と、この挿入部３３の軸方向中央部分に位置するとともに、後部ケース２４の内周面に形成された周溝２４Ａに嵌まり合い可能に設けられた環状突条部３５と、前記挿入部３３の前方に位置するカム体３６と、このカム体３６の内側に設けられた円筒部３７と、カム体３６の後端側に連なってクリップ保持部材３２を貫通するとともに、当該クリップ保持部材３２の後端より突出する位置に設けられたノック部３８と、カム体３６の先端領域に形成されたカム面４０とを備えて構成されている。ここで、クリップ３１及びクリップ保持部３２は、筆記具本体１１の周方向に回転可能に設けられており、当該回転によりカム体３６を回転させることができるようになっている。
【００１５】
前記カム体３６は、図６及び図７に示されるように、従来例と略同様に中空円筒状の部材を斜切りした形状に設けられ、この斜切りした端面によりカム面４０が構成されている。このカム面４０は、カム体３６の軸線に対して傾斜した方向に延びる一対の傾斜端面部４１と、これら傾斜端面部４１の後方に連なるとともに、前記軸線に対して略直交する方向に位置する円弧状端面部４２と、傾斜端面部４１の先端に形成された先端凹状部４４と、円弧状端面部４２の略中央部分に形成された後端凹状部４５とを備えて構成されている。先端凹状部４４及び後端凹状部４５は、カム体３６の周方向略１８０°間隔位置に形成されているとともに、各従動部材２０，２１の後端側を受容可能な大きさに設けられている。また、各傾斜端面部４１の前後方向略中央位置には、位置規制部４７がそれぞれ設けられている。
【００１６】
前記各位置規制部４７は、図６及び図７に示されるように、各傾斜端面部４１を部分的に凹ませるように形成されており、軸方向に沿う方向に延びる起立部４８と、この起立部４８の後端側に連なるとともに、各従動部材２０，２１の後端形状に倣う湾曲部４９とを備えて構成されている。各位置規制部４７は、図２に示された位置において、第１及び第２の従動部材２０，２１の後端側を引っ掛けて当該従動部材２０，２１の軸方向移動を規制し、各筆記部材１７，１８が前部ケース２３内に収まる位置で保持可能に設けられている。
【００１７】
前記第１のリフィル１５及び第１の筆記部材１７は、いわゆるシャープペンシルにより構成され、前記第２のリフィル１６及び第２の筆記部材１８はボールペンにより構成されている。従って、第１のリフィル１５は、シャープペンシルの芯を収容可能な筒状に形成されているとともに、第２の筆記部材１８に装着される第２のリフィル１６は、ボールペンのインクを充填可能な筒状に設けられている。これら第１及び第２の筆記部材１７，１８の構造は、一般に広く利用される公知の構造となっているため、これらの構造に関する詳細な説明を省略する。なお、第１及び第２のリフィル１５，１６の外周側には、ばね５１がそれぞれ装着されている。
【００１８】
前記各ばね５１は、図３に示されるように、コイルばねにより構成されているとともに、各従動部材２０，２１の先端側と前記仕切壁２９との間に配置されている。各ばね５１は、図３に示された位置において、軸方向に圧縮された状態で装着されており、これによって、各従動部材２０，２１の後端側をカム面４０に接する力を常に付与するようになっている。
【００１９】
前記第１及び第２の従動部材２０，２１は、図４及び図６に示されるように、軸方向に延びるとともに、図４中左右対称となるようにそれぞれ配置されている。第１及び第２の従動部材２０，２１は、後部ケース２４の内周面に接する円弧状面部５３と、この円弧状面部５３の図４中上下両側に連なるとともに、前記突条部２６に接触する位置に設けられた一対の平面部５４と、これら平面部５４の内方端に連なって後部ケース２４の略中心を通る合せ面部５５と、円弧状面部５３に連なるとともに、後部ケース２４に設けられたガイド溝２４Ｂに受容されるガイド用突条部５７と、円弧状面部５３及び水平面部５４に連なるととともに、後方に向かうに従って細くなるように設けられた一対の傾斜面部５８と、これら傾斜面部５８から後方へ延びる突出部５９と、前記各リフィル１５，１６の後端側を受容可能に設けられた保持穴６１とを備えて構成されている。これにより、第１及び第２の従動部材２０，２１は、図４中左右上下方向の移動が規制されることとなり、回転操作部材１３の回転によって安定的な軸方向移動が保たれるようになっている。
【００２０】
次に、第１の実施例における第１及び第２の筆記部材１７，１８の出没動作について説明する。
【００２１】
ここでは、第１及び第２の筆記部材１７，１８は、図２及び図３に示されるように、何れも前部ケース２３の内側に収まった状態にあるものとする。この状態から、クリップ３１若しくはクリップ保持部３２を図２中矢印Ｒ１方向に回転した場合、カム体３６も同様に回転することにより、第１の従動部材２０の突出部５９が傾斜端面部４１に押圧されて前進する一方、第２の従動部材２１がばね５１の弾性力により後退することとなる（図７参照）。そして、前記Ｒ１方向に略９０°回転したときに、図８に示されるように、第１の従動部材２０の突出部５９が先端凹状部４４に位置してこれに引っ掛かるとともに、第２の従動部材２１の突出部５９が後端凹状部４５に位置してこれに引っ掛かることにより、前記回転が規制されて第１の筆記部材１７が露出することとなる。
【００２２】
また、第１の筆記部材１７を前部ケース２３に没した状態に収容する場合は、意図的な外力を付与して回転操作部材１３を図２中矢印Ｒ２方向に回転すればよい。これにより、各突出部５９と先端凹状部４４及び後端凹状部４５との引っ掛かりが解除された後、傾斜端面部４１に沿って各突出部５９が移動し、第１の筆記部材１７が前部ケース２３内に収容されることとなる。この際、位置規制部４７は、突出部５９を引っ掛けて回転操作部材１３の回転を規制すると同時に、ばね５１の弾性力によって突出部５９の先端が位置規制部４７の湾曲部４９に打ち付けられて「カチッ」という音を発生するようになっている。
【００２３】
なお、第２の筆記部材１８の出没作業に関しては、前述した第１の筆記部材１７の出没作業における回転操作部材１３の回転方向を逆にするだけで、同様にして行うことが可能となっている。
【００２４】
従って、このような実施例によれば、第１及び第２の筆記部材１７，１８を前部ケース２３内に収容したときに、回転操作部材１３の移動を規制すると同時に音が鳴る構成としたから、不用意なる筆記部材１７，１８の露出を防止でき、且つ、使用者に筆記具１０を見ることなく筆記部材が収容されたことを確実に認識させることができる。
【００２５】
[第２実施例]
次に、本発明の第２の実施例を図１０を参照しながら説明する。なお、以下の説明において、前記第１の実施例と同一若しくは同等の構成部分については必要に応じて同一符号を用いるものとし、説明を省略若しくは簡略にする。
【００２６】
第２の実施例は、位置規制部６３の凹状の程度を小さくしたところに特徴を有するものである。位置規制部６３は、カム面４０の傾斜端面部４１に形成されており、軸方向に沿う方向に延びる起立部６４と、この起立部６４の後端側に連なるとともに、突出部５９の先端に倣う形状に形成された湾曲部６５とを備えて構成されている。前記起立部６５は、第１の実施例における起立部４８と比較して、その前後幅が短くなるように形成されている。従って、図１０中傾斜端面部４１は、後段傾斜部４１Ａと、前段傾斜部４１Ｂとからなり、これら後段傾斜部４１Ａ及び前段傾斜部４１Ｂは平面位置から僅かにずれる構成となっている。
【００２７】
このような第２の実施例によれば、前記第１の実施例に比べ、位置規制部６３に突出部５９を引っ掛けたり、この引っ掛け状態を解除したりすること、すなわち、回転操作部材１３の回転作業をよりスムースに行うことができるという効果を得る。
【００２９】
【発明の効果】
以上説明したように、本発明によれば、筆記部材の先端が筆記具本体内に収まる位置を規制する位置規制部をカム面に設けたから、筆記部材が不用意に露出してしまう虞を有効に排除することができ、且つ、回転操作部材を回転しすぎることによる筆記部材の露出も防止することが可能となる。
【００３０】
また、位置規制部は、カム面を部分的に凹ませた形状としたから、従来構造を僅かに形状変更するだけで従来例に示されるような不都合を解消することができる。
【図面の簡単な説明】
【図１】第１の実施例に係る筆記具の概略斜視図。
【図２】図１の正面図。
【図３】図２の右側面図。
【図４】図３のＡ−Ａ線矢視拡大断面図。
【図５】従動部材を省略した状態を示す図３と同様の断面図。
【図６】前記筆記具の要部分解概略斜視図。
【図７】突出部の移動軌跡を示す説明図。
【図８】第１の筆記部材を露出させた状態を示す図２と同様の正面図。
【図９】第２の筆記部材を露出させた状態を示す図２と同様の正面図。
【図１０】第２の実施例に係るカム体及び突出部の移動軌跡を示す概略正面図。
【図１１】（Ａ）は、従来の筆記具を示す正面図、（Ｂ）は、図１１（Ａ）の右側面図。
【図１２】従来の筆記具の要部分解概略斜視図。
【符号の説明】
１０  筆記具
１１  筆記具本体
１３  回転操作部材
１５  第１のリフィル
１６  第２のリフィル
１７  第１の筆記部材
１８  第２の筆記部材
２０  第１の従動部材
２１  第２の従動部材
４０  カム面
４７  位置規制部
６３  位置規制部
【図１】
0003770044.tif 000002
【図２】
0003770044.tif 000003
【図３】
0003770044.tif 000004
【図４】
0003770044.tif 000005
【図５】
0003770044.tif 000006
【図６】
0003770044.tif 000007
【図７】
0003770044.tif 000008
【図８】
0003770044.tif 000009
【図９】
0003770044.tif 000010
【図１０】
0003770044.tif 000011
【図１１】
0003770044.tif 000012
【図１２】
0003770044.tif 000013